【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
第１の導体に電源が供給されたとき回路内の第１の導体と第２の導体の間に所定の時間回路を閉成するためのテスト・スイッチ／回路であって、
オシレータと、
タイマを有し、
前記オシレータと前記タイマは前記導体に電源を印加することにより起動され、前記オシレータは、設定された所定の時間に到達して前記タイマの出力が前記オシレータを停止させるまで、前記第１と第２の導体の間に電流が流れることを可能にするテスト・スイッチ／回路。
【請求項２】
前記オシレータは自己起動の低電力非安定オシレータを有する、請求項１記載のテスト・スイッチ／回路。
【請求項３】
前記オシレータが動作する継続時間を決定するために、前記タイマは前記オシレータの出力周波数をカウンタ入力として利用する、請求項１記載のテスト・スイッチ／回路。
【請求項４】
前記オシレータが動作する継続時間を決定するために、前記タイマは前記タイマの内部にあるオシレータをカウンタ入力として利用する、請求項１記載のテスト・スイッチ／回路。
【請求項５】
電流が流れる指示器を有する回路内の第１と第２の導体の導通を試験する方法であって、
前記導体の１つに電源が供給されたときに、所定の時間の間前記第１の導体と前記第２の導体の間に回路を閉成するテスト・スイッチ／回路であって、オシレータと、タイマをさらに有し、前記オシレータと前記タイマは前記導体に電源を印加することにより起動され、前記オシレータは、設定された所定の時間に到達して前記タイマの出力が前記オシレータを停止させるまで、前記第１と第２の導体の間に電流が流れることを可能にするテスト・スイッチ／回路を接続する段階と、
前記第１の導体に電力を印加する段階と、
電流の流れる前記指示器の状態を監視する段階を有する、電流が流れる指示器を有する回路内の第１と第２の導体間の導通を試験する方法。
【請求項６】
前記オシレータは自己起動の低電力非安定オシレータを有する、請求項５記載の方法。
【請求項７】
前記オシレータが動作する継続時間を決定するために、前記タイマは前記オシレータの出力周波数をカウンタ入力として利用する、請求項５記載の方法。
【請求項８】
前記オシレータが動作する継続時間を決定するために、前記タイマは前記タイマの内部のオシレータをカウンタ入力として利用する、請求項５記載の方法。
【請求項９】
状態指示器と遠隔センサの間の回路内の第１と第２の導体間の導通を試験する方法であって、
前記導体の１つに電源が供給されたときに、所定の時間前記第１の導体と前記第２の導体の間に回路を閉成するテスト・スイッチであって、オシレータと、タイマをさらに有し、前記オシレータと前記タイマは前記導体に電源を印加することにより起動され、前記オシレータは、設定された所定の時間に到達して前記タイマの出力が前記オシレータを停止させるまで、前記第１と第２の導体の間に電流が流れることを可能にするテスト・スイッチを前記センサに近接して、かつ前記センサと電気的に並列に接続する段階と、
前記第１の導体に電源を印加する段階と、
前記指示器の状態を監視する段階を有する、状態指示器と遠隔センサの間の回路内の第１と第２の導体の導通を試験する方法。
【請求項１０】
前記オシレータは自己起動の低電力非安定オシレータを有する、請求項９記載の方法。
【請求項１１】
前記オシレータが動作する継続時間を決定するために、前記タイマは前記オシレータの出力周波数をカウンタ入力として利用する、請求項９記載の方法。
【請求項１２】
前記オシレータが動作する継続時間を決定するために、前記タイマは前記タイマの内部のオシレータをカウンタ入力として利用する、請求項９記載の方法。
【請求項１３】
状態指示器と遠隔センサの間の回路内の第１と第２の導体間の導通を試験する装置であって、前記センサに近接して、かつ電気的に並列に接続され、前記導体の１つに電源が供給されたときに、所定の時間前記第１の導体と前記第２の導体の間に回路を閉成するテスト・スイッチ手段であって、オシレータ手段とタイマ手段をさらに有し、前記オシレータ手段と前記タイマ手段は前記導体に電源を印加することにより起動され、前記オシレータ手段は、設定された所定の時間に到達して前記タイマ手段の出力が前記オシレータ手段を停止させるまで、前記第１と第２の導体の間に電流が流れることを可能にするテスト・スイッチ手段を有する、状態指示器と遠隔センサの間の回路内の第１と第２の導体間の導通を試験する装置。
【請求項１４】
前記オシレータは自己起動の低電力非安定オシレータを有する、請求項１３記載の方法。
【請求項１５】
前記オシレータが動作する継続時間を決定するために、前記タイマは前記オシレータの出力周波数をカウンタ入力として利用する、請求項１３記載の装置。
【請求項１６】
前記オシレータが動作する継続時間を決定するために、前記タイマは前記タイマの内部のオシレータをカウンタ入力として利用する、請求項１３記載の装置。
【請求項１７】
第１および第２の導体手段によって指示器手段と接続された検出器手段を有し、前記検出器手段は前記第１の導体手段と前記第２の導体手段の間に導通がない開路モードと、前記第１の導体手段と前記第２の導体手段の間に導通が確立されている閉路モードを有し、前記指示器手段は前記第１の導体手段と前記第２の導体手段の間に導通が確立されていることを示す回路内の第１と第２の導体手段の導通を検知する装置であって、
前記検出手段の近くの位置で前記第１の導体手段と前記第２の導体手段の両端に接続されるようになっているスイッチ手段であって、電流の導通状態と非導通状態を有し、前記装置が前記第１の導体手段と前記第２の導体手段に接続されたとき前記スイッチ手段の前記導通状態は前記第１の導体手段と前記第２の導体手段の間に導通と電流の流れをもたらすようになっており、前記スイッチ手段の前記非導通状態は前記第１の導体手段と前記第２の導体手段の間に導通と電流の流れをもたらさず、前記スイッチ手段は前記第１の導体手段と前記第２の導体手段に電源を印加したときに前記導通状態に自己起動し、前記指示器手段は前記第１の導体手段と前記第２の導体手段の間の導通を示すことができるスイッチ手段と、
前記スイッチ手段を導通状態から非導通状態へ自動的に動作させる制御手段を有し、
前記制御手段は前記第１の導体手段と前記第２の導体手段に電源を印加することにより作動させられる、回路内の第１および第２の導体手段の導通を検知する装置。
【請求項１８】
前記スイッチ手段は自己起動の低電力非安定オシレータを有する、請求項１７記載の装置。
【請求項１９】
前記制御手段はタイマである、請求項１８記載の装置。
【請求項２０】
前記オシレータが動作する継続時間を決定するために、前記タイマは前記オシレータの出力周波数をカウンタ入力として利用する、請求項１９記載の装置。
【請求項２１】
前記オシレータが動作する継続時間を決定するために、前記タイマは前記タイマの内部のオシレータをカウンタ入力として利用する、請求項１９記載の装置。
【請求項２２】
第１および第２の導体、検出器手段、指示器手段、および電源手段を有し、前記検出器手段は、前記両導体によって前記電源手段および前記指示器手段に接続され、前記電源手段は前記検出器手段および前記指示器手段に選択的に電源を供給し、前記検出器手段は前記両導体間に導通がない開路モードと前記両導体間に導通が確立されている閉路モードを有し、前記指示器手段は前記両導体の間に導通が確立されている場合を示す、回路内の導体の導通を検知する装置であって、
電流の導通状態と非導通状態を有するスイッチ手段であって、前記検出器手段の近くの位置で前記両導体の両端に接続されるようになっており、前記スイッチ手段の前記導通状態は前記装置が前記両導体に接続されたとき前記両導体間に導通をもたらすようなものであり、前記スイッチ手段の前記非導通状態は前記両導体間に導通をもたらさないスイッチ手段と、
前記スイッチ手段と接続され、前記スイッチ手段を導通状態から非導通状態へ自動的に動作させる制御手段と、
前記電源手段からの電力を蓄積するための電力蓄積手段であって、前記電源手段と接続されるようになっており、かつ前記制御手段と接続されており、前記制御手段を動作させるための電源を前記制御手段に供給する電力蓄積手段を有し、
前記スイッチ手段は前記電源手段から前記両導体に印加される電源を印加することによって電流導通状態に付勢され、
前記制御手段は前記電力蓄積手段によって作動させられ、前記電源手段によって前記両導体に電源が印加されたとき所定の長さの時間の後に前記スイッチ手段を電流導通状態から非導通状態へ動作させ、前記指示器手段は前記スイッチが前記電流導通状態にあるとき前記両導体間の導通を示すことができる、回路内の導体の導通を検知する装置。
【請求項２３】
前記スイッチ手段は自己起動の低電力非安定オシレータを有する、請求項２２記載の装置。
【請求項２４】
前記制御手段はタイマである、請求項２２記載の装置。
【請求項２５】
前記オシレータが動作する継続時間を決定するために、前記タイマは前記オシレータの出力周波数をカウンタ入力として利用する、請求項２４記載の装置。
【請求項２６】
前記オシレータが動作する継続時間を決定するために、前記タイマは前記タイマの内部のオシレータをカウンタ入力として利用する、請求項２４記載の装置。
【請求項２７】
前記電力蓄積手段はコンデンサを有する、請求項２２記載の装置。
【請求項２８】
前記指示器手段は表示灯を有し、前記表示灯は、前記導体の両端間に導通があり前記電源手段により前記回路に電源が印加されたときに点灯される、請求項２２記載の装置。
【請求項２９】
１台の機器を監視する装置であって、
前記機器の中に置かれた検出器手段と、
前記検出器手段に電源を供給する電源手段であって、前記検出器手段は導体によって前記電源手段に接続されており、前記検出器手段は前記導体同士の間に導通がない開路モードと前記導体同士の間に導通が確立されている閉路モードを有する電源手段と、
前記導体の両端間に導通性が存在することを示す表示灯であって、前記検出器手段が前記閉路モードにあり電源が前記電源手段によって印加されているときに前記表示灯が点灯するように、前記導体によって前記検出器手段に接続されている表示灯と、
前記電源手段からの電源を前記装置に印加するためのスイッチ手段であって、前記手動のスイッチ手段および前記表示灯は前記導体によって前記電源手段および前記検出器手段に接続されているスイッチ手段と、
電流導通状態と非導通状態を有するスイッチ手段であって、前記導体の両端に前記検出器手段に近接して接続されており、その前記導通状態は前記導体同士間に導通をもたらし、前記非導通状態は前記導体同士間に導通をもたらさないスイッチ手段と、
前記スイッチ手段と接続され、前記スイッチ手段を導通状態から非導通状態へ自動的に動作させる制御手段と、
前記制御手段に電源を供給するために、前記電源手段からの電源を蓄積する電力蓄積手段を有する、機器を監視する装置。
【請求項３０】
前記スイッチ手段は自己起動の低電力非安定オシレータを有する、請求項２９記載の装置。
【請求項３１】
前記制御手段はタイマである、請求項２９記載の装置。
【請求項３２】
前記オシレータが動作する継続時間を決定するために、前記タイマは前記オシレータの出力周波数をカウンタ入力として利用する、請求項３１記載の装置。
【請求項３３】
前記オシレータが動作する継続時間を決定するために、前記タイマは前記タイマの内部のオシレータをカウンタ入力として利用する、請求項３１記載の装置。
【請求項３４】
前記電力蓄積手段はコンデンサを有する、請求項２９記載の装置。
【請求項３５】
前記第１の導体は砕片検出手段にさらに接続されている、請求項１記載のテスト・スイッチ／回路。
【請求項３６】
前記第１の導体は砕片検出手段にさらに接続されている、請求項５記載のテスト・スイッチ／回路。
【請求項３７】
前記遠隔センサは砕片検出器である、請求項９記載の方法。
【請求項３８】
前記遠隔センサは砕片検出器である、請求項１３記載の方法。
【請求項３９】
前記検出手段は砕片検出器である、請求項１７記載の装置。
【請求項４０】
前記検出手段は砕片検出器である、請求項２２記載の装置。
【請求項４１】
前記検出手段は砕片検出器である、請求項２９記載の装置。